(57)【要約】      （修正有）【課題】構造が簡単で、多種の運動形態を提供できる、多機能フィットネス機構を提供する。【解決手段】多機能フィットネス機構は、シャーシ１０を備え、シャーシ１０両側には第一カルダンシャフト組２０と第二カルダンシャフト組３０をそれぞれ設置し、シャーシ１０同側の第一、二カルダンシャフト組２０、３０には、使用者がその上に立つことができる制動ユニット４０を可動状態で設置する。第一、二カルダンシャフト組２０、３０の両軸線は同一水平面を呈し垂直交差状で、これにより両側制動ユニット４０のペダル４５を踏むと、両側の第一、二カルダンシャフト組２０、３０を通して、前後スライドステップ或いは左右開脚の運動を生じ、しかも両軸線は同一水平面を呈する垂直交差状である。この構成により、使用者はさらに、一方の足で立ち、他方の足を持ち上げ楕円スイングの運動を行い、大腿部の各筋肉及び関節を同時に鍛錬することができる。【選択図】図１
0003171108.tif 000002
【実用新案登録請求の範囲】
【請求項１】
多機能フィットネス機構は少なくとも、シャーシ、２個の第一カルダンシャフト組、２個の第二カルダンシャフト組、２個の制動ユニットを備え、
前記シャーシ頂点端には、サポート体を備え、
前記第一カルダンシャフト組は、前記シャーシサポート体の両側前方にそれぞれ設置し、各第一カルダンシャフト組は、少なくとも前記制動ユニットに、前後へのスイングを生じさせる前後回転軸部、及び前記制動ユニットに、左右へのスイングを生じさせる左右振り子軸部を備え、前記前後回転軸部と前記左右振り子軸部は、同一水平面で、しかも垂直交差状を呈し、
前記第二カルダンシャフト組は、前記シャーシサポート体の両側後方にそれぞれ設置し、前記各第二カルダンシャフト組は、少なくとも前記制動ユニットに、前後へのスイングを生じさせる前後回転軸部、及び前記制動ユニットに、左右へのスイングを生じさせる左右振り子軸部を備え、前記前後回転軸部と前記左右振り子軸部は、同一水平面で、しかも垂直交差状を呈し、前後回転軸部は、前記第一カルダンシャフト組の前後回転軸部と相互に平行で、
前記２個の制動ユニットは、前記シャーシの同側第一、二カルダンシャフト組上にそれぞれ設置し、各制動ユニットは、前記第一、二カルダンシャフト組可動台と連接する第一ハンギングロッドと第二ハンギングロッドを備え、
前記第一、二ハンギングロッドの頂点端には、前記第一、二カルダンシャフト組の左右振り子軸部と可動状態で接続する可動台をそれぞれ備え、前記第一、二ハンギングロッド底端には、接軸部をそれぞれ備え、しかも前記第一、二ハンギングロッドの接軸部には、後方へと延伸するベース棒を可動状態で設置し、前記ベース棒上には、ペダルを設置することを特徴とする多機能フィットネス機構。
【請求項２】
各第一、二カルダンシャフト組の前後回転軸部において、前記サポート体上に軸棒を設置し、しかも前記各軸棒上には、軸カバーをそれぞれ被せて設置し、
前記左右振り子軸部において、前記軸カバーの周縁に相対する凸軸を形成し、前記凸軸は、前記制動ユニット第一、二ハンギングロッドの可動台に可動状態で接続することを特徴とする請求項１に記載の多機能フィットネス機構。
【請求項３】
各制動ユニットの第一、二ハンギングロッド接軸部両側の内の少なくとも片側には、連接片を可動状態で接続し、
前記ベース棒は、その中段により、前記連接片末端に可動状態で設置し、前記ベース棒前端は、前記第二ハンギングロッドの接軸部底縁に密着して押さえ、これによりペダルを上方へと折りたたむことができることを特徴とする請求項１に記載の多機能フィットネス機構。
【考案の詳細な説明】
【技術分野】
【０００１】
本考案はフィットネス設備の技術領域に関し、特に多機能フィットネス機構に関する。
【背景技術】
【０００２】
特許文献１、２に開示するように、開脚とスライドステップの機能を兼ね備えたフィットネス設備は既に開発されている。これらにより、使用者は開脚とスライドステップの運動を行うことができ、複合的かつ多様な運動効果を達成することができる。
【０００３】
しかし、上記した複合式のフィットネス設備は、構造が複雑なため、製造コストを押し上げている。そのため、特許文献３に開示するような、構造が比較的簡単なフィットネス設備が開発された。但し、特許文献３のフィットネス設備も、上記した特許文献１、２同様、その動作は、スライドステップと開脚にのみ限定されている。
本考案は、従来のフィットネス機構の上記した欠点に鑑みてなされたものである。
【先行技術文献】
【特許文献】
【０００４】
【特許文献１】台湾特許公告第３７５９５３号
【特許文献２】台湾特許公告第４９２５３５号
【特許文献３】台湾特許公告第Ｍ３８３４２５号
【考案の概要】
【考案が解決しようとする課題】
【０００５】
本考案が解決しようとする課題は、構造が簡単で、多種の運動形態を提供することができ、使用者が大腿部の鍛錬を行う時、足上げスイングの運動の効果をも備える多機能フィットネス機構を提供することである。
【課題を解決するための手段】
【０００６】
上記課題を解決するため、本考案は下記の多機能フィットネス機構を提供する。
多機能フィットネス機構は、少なくともシャーシを備え、
該シャーシ両側には、第一カルダンシャフト組と第二カルダンシャフト組をそれぞれ設置し、しかも該シャーシ同側の第一、二カルダンシャフト組には、使用者が立つことができる制動ユニットを可動状態で設置し、これにより、使用者は、両側制動ユニットのペダル上を踏み、両腿を前後にスライドさせることで、両側制動ユニットは、第一、二カルダンシャフト組に相対して互い違いのスライドステップ運動を生じることができ、或いは両腿を外へと広げることで、両側制動ユニットは、第一、二カルダンシャフト組に相対して、左右の開脚運動を生じることができ、さらに、本考案第一、二カルダンシャフト組の両軸線は、同一水平面を呈する垂直交差状であるため、該制動ユニットのペダルは、該第一、二カルダンシャフト組に相対してスムーズな楕円動作を生じることができ、こうして、使用者は片足で立ち、もう一方の足を持ち上げ、楕円スイングの足上げ旋回運動を行うことができ、これにより使用者により多様な運動効果を提供することができる。
【考案の効果】
【０００７】
本考案の多機能フィットネス機構は、構造が簡単で、使用者に多種の運動形態を提供することができる。
【図面の簡単な説明】
【０００８】
【図１】多機能フィットネス機構の立体外観模式図である。
【図２】多機能フィットネス機構において、主要パーツの相対関係を示す立体分解模式図である。
【図３】多機能フィットネス機構の前視平面模式図である。
【図４】多機能フィットネス機構の実際応用時における前後スライドステップ動作の模式図である。
【図５】多機能フィットネス機構の実際応用時における左右開脚動作の模式図である。
【図６】多機能フィットネス機構のステップ運動時における片足上げスイング動作の模式図である。
【考案を実施するための形態】
【０００９】
以下に図面を参照しながら本考案を実施するための最良の形態について詳細に説明する。
【００１０】
本考案多機能フィットネス機構は、図１、２、３に示すように、少なくともシャーシ10、２個の第一カルダンシャフト組20、２個の第二カルダンシャフト組30及び２個の制動ユニット40を備える。
【００１１】
該シャーシ10により、フィットネス機構全体を、床面に安定的に立てて設置することができる。また、シャーシ10前端中央には、上方へと延伸する立柱11を備え、しかも立柱11頂点端には、サポート体15を備える。該サポート体15には、ハンドル16或いはメーター/コントロールパネル等を設置する。
【００１２】
該各第一カルダンシャフト組20は、該シャーシ10サポート体15の両側前方にそれぞれ設置する。該各第一カルダンシャフト組20は、少なくとも該制動ユニット40に、前後へのスイングを生じさせる前後回転軸部21、及び該制動ユニット40に、左右へのスイングを生じさせる左右振り子軸部25を備える。該前後回転軸部21と該左右振り子軸部25は、同一水平面を呈し、しかも垂直交差状を呈する。
【００１３】
主要実施例の構成では、該第一カルダンシャフト組20は、該各前後回転軸部21は、該サポート体15前方に軸棒22を設置し、該軸棒22上には、軸カバー23を被せて設置する。これにより、該軸カバー23は、軸棒22に相対して、前後スイングを生じることができる。該左右振り子軸部25は、該軸カバー23の周縁両側の相対する位置に、対応する凸軸26をそれぞれ形成する。しかも、該制動ユニット40は、該凸軸26上に可動状態で設置し、これにより該制動ユニット40は、凸軸26に相対して左右スイングを生じる。
【００１４】
該第二カルダンシャフト組30は、該シャーシ10サポート体15の両側後方にそれぞれ設置する。該各第二カルダンシャフト組30は、少なくとも具有一第一カルダンシャフト組20に対応し、該制動ユニット40に、前後へのスイングを生じさせる前後回転軸部31及び該一可讓制動ユニット40左右へのスイングを生じさせる左右振り子軸部35を備える。該前後回転軸部31と該左右振り子軸部35は、同一水平面を呈し、しかも垂直交差状を呈する。しかも、前後回転軸部31は、該第一カルダンシャフト組20の前後回転軸部21と相互に平行である。
【００１５】
主要実施例の構成では、本考案第二カルダンシャフト組30は、該各前後回転軸部31は、サポート体15前方に、軸棒32を設置し、該軸棒32上には、軸カバー33を被せて設置する。これにより、軸カバー33は、軸棒32に相対して、前後スイングを生じることができる。該左右振り子軸部35は、該軸カバー33の周縁両側の相対する位置に、対応する凸軸36をそれぞれ形成する。しかも、該制動ユニット40は、凸軸36上に可動状態で設置され、これにより制動ユニット40は、凸軸36に相対して、左右スイングを生じることができる。
【００１６】
両側の制動ユニット40は、シャーシ10同側の第一、二カルダンシャフト組20、30上にそれぞれ設置する。該各制動ユニット40は、第一、二カルダンシャフト組20、30と可動状態で設置する第一ハンギングロッド41と第二ハンギングロッド42を備える。第一、二ハンギングロッド41、42の頂点端には、凸軸26、36と可動状態で接続することができる可動台411、421をそれぞれ備える。第一、二ハンギングロッド41、42底端には、接軸部412、422をそれぞれ備え、しかも同側制動ユニット40の第一、二ハンギングロッド41、42接軸部412、422両側の内の少なくとも片側には、連接片43を可動状態で接続する。
【００１７】
本考案は、両側平行の連接片43を主要実施例とし、連接片43末端には、ベース棒44の中段を可動状態で設置する。該ベース棒44前端は、第二ハンギングロッド42接軸部422底縁に密着して押さえ、これによりベース棒44は、後方へと平面延伸する。こうして、ベース棒44は、ペダル45を連動して上方へと折り畳むことができる。さらに、該ペダル45は、ベース棒44上に設置し、しかも該ペダル45と該ベース棒44とは、螺合固定方式、或いは可動接続方式のいずれかを選択して設置することができる。これにより、さまざまな運動形態を備え、しかも構造が簡単な多機能フィットネス機構を構成する。
【００１８】
本考案を、実際に運動に使用する際に、先ず、前後互い違いのスライドステップ運動を選択する場合について説明する。図１、４に示すように、使用者は、両足をそれぞれ両側制動ユニット40のペダル45上に置き、しかも、両足を前後に互い違いにスライドさせる。こうして、両側制動ユニット40の第一、二ハンギングロッド41、42をそれぞれ連動することができる。第一、二ハンギングロッド41、42は、可動台411、421を利用し、同側の第一、二カルダンシャフト組20、30左右振り子軸部25、35の凸軸26、36上に可動状態で接続するため、さらに軸カバー23、33を駆動し、前後回転軸部21、31の軸棒22、32に相対して、前後スイングを行わせる。こうして、両側制動ユニット40のペダル45は、前後スライドステップに類似の運動形態を生じ、これにより大腿部の筋肉を伸ばし、鍛錬することができる。
【００１９】
左右に広げる開脚運動を選択するなら、図３、５に示すように、両足で両側制動ユニット40のペダル45上に立ち、しかも両足を両側に広げる。こうして、両側制動ユニット40の第一、二ハンギングロッド41、42を連動することができる。第一、二ハンギングロッド41、42の可動台411、421は、同側の第一、二カルダンシャフト組20、30左右振り子軸部25、35の凸軸26、36上に相対し可動状態で接続するため、制動ユニット40は、左右振り子軸部25、35に相対して、左右にスイングすることができる。こうして、両側制動ユニット40のペダル45は、外側への開脚に類似した運動形態を生じ、これにより大腿部の内側筋肉をストレッチする鍛錬を行うことができる。
【００２０】
さらには、片足の足上げスイング運動を選択することもできる。図１、６に示すように、両足をそれぞれ両側制動ユニット40のペダル45上に置き、続いて、片足を不動の状態とし、もう一方の足を外へと持ち上げ、楕円旋回を行う。第一、二カルダンシャフト組20、30の前後回転軸部21、31と左右振り子軸部25、35の軸線は、同一水平面を呈する垂直交差状であるため、一種のカルダンシャフトに類似の効果を生じる。こうして、該制動ユニット40のペダル45は、同側の第一、二カルダンシャフト組20、30に相対し、スムーズな楕円動作を生じる。
【００２１】
上記した設計を通して、本考案のフィットネス機構は、運動過程において、両側制動ユニット40を利用し、第一、二カルダンシャフト組20、30の前後回転軸部21、31と左右振り子軸部25、35に相対し、互い違いのスライドステップ運動と外へとの開脚運動を生じることができる。さらに、第一、二カルダンシャフト組20、30の前後回転軸部21、31と左右振り子軸部25、35の軸線は、同一水平面を呈する垂直交差状であるため、片足で立ち、もう一方の足を持ち上げ、楕円スイングの足上げ旋回運動を行うことができる。こうして本考案は、さまざまな運動形態を使用者に提供することができる。
【００２２】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２３】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２４】
10：シャーシ、11：立柱、15：サポート体、16：ハンドル、20：第一カルダンシャフト組、21：前後回転軸部、22：軸棒、23：軸カバー、25：左右振り子軸部、26：凸軸、30：第二カルダンシャフト組、31：前後回転軸部、32：軸カバー、35：左右振り子軸部、35：可動台、40：制動ユニット、41：第一ハンギングロッド、411：可動台、412：接軸部、42：第一ハンギングロッド、421：可動台、422：接軸部、43：連接片、44：ベース棒、45：ペダル。
【図１】
0003171108.tif 000003
【図２】
0003171108.tif 000004
【図３】
0003171108.tif 000005
【図４】
0003171108.tif 000006
【図５】
0003171108.tif 000007
【図６】
0003171108.tif 000008